【手続補正書】
【提出日】平成30年8月7日(2018.8.7)
【手続補正１】
【補正対象書類名】特許請求の範囲
【補正対象項目名】全文
【補正方法】変更
【補正の内容】
【特許請求の範囲】
【請求項１】
複数の撮影画像および前記複数の撮影画像のそれぞれの撮影条件を取得する取得手段と、
前記複数の撮影画像を撮影条件ごとのグループに分類する分類手段と、
同一のグループに分類された複数の画像に関して共通の演算処理を行い、前記撮影条件ごとに光学伝達関数情報または点像分布関数情報を生成する演算処理手段と、
前記光学伝達関数情報または前記点像分布関数情報に基づいて、前記複数の画像に対する回復処理を行う画像回復手段と、を有することを特徴とする画像処理装置。
【請求項２】
前記演算処理手段は、前記共通の演算処理において、前記複数の画像に関する共通の回復パラメータを設定し、該共通の回復パラメータを用いて画像回復フィルタを生成する、ことを特徴とする請求項１に記載の画像処理装置。
【請求項３】
前記演算処理手段は、前記共通の演算処理により生成された前記光学伝達関数情報または前記点像分布関数情報に基づいて、前記同一のグループに分類された前記複数の画像のそれぞれに対する回復パラメータを個別に設定し、個別に設定された該回復パラメータを用いて画像回復フィルタを生成する、ことを特徴とする請求項１に記載の画像処理装置。 
【請求項４】
前記回復パラメータは、前記回復処理を行うための回復ゲインである、ことを特徴とする請求項２または３に記載の画像処理装置。
【請求項５】
前記撮影条件は、撮影の際に用いられる撮像光学系のパラメータと撮像素子のパラメータとの組み合わせに基づいて決定され、
前記分類手段は、前記複数の撮影画像のうち、前記撮像光学系のパラメータと前記撮像素子のパラメータとの組み合わせが互いに一致する前記複数の画像を同一のグループとして分類する、ことを特徴とする請求項１乃至４のいずれか１項に記載の画像処理装置。
【請求項６】
前記分類手段は、前記複数の撮影画像の撮影条件が同一である場合、該複数の撮影画像を前記同一のグループに分類する、ことを特徴とする請求項１乃至５のいずれか１項に記載の画像処理装置。
【請求項７】
前記撮影条件は、被写体距離を含み、
前記分類手段は、前記被写体距離が所定の距離よりも大きい場合、該被写体距離が該所定の距離であるとして、前記複数の撮影画像の撮影条件が同一であるか否かを判定する、ことを特徴とする請求項６に記載の画像処理装置。
【請求項８】
前記撮影条件は、被写体距離を含み、
前記複数の撮影画像は、前記被写体距離が第１の被写体距離である第１の撮影画像、および、該被写体距離が前記第１の被写体距離よりも大きい第２の被写体距離である第２の撮影画像を含み、
前記分類手段は、
前記第１の被写体距離が所定の距離よりも小さい場合、前記第１の撮影画像および前記第２の撮影画像を互いに異なるグループに分類し、
前記第１の被写体距離が前記所定の距離よりも大きく、かつ、前記撮影条件のうち前記被写体距離を除く他の撮影条件が同一である場合、前記第１の撮影画像および前記第２の撮影画像を前記同一のグループに分類する、ことを特徴とする請求項６または７に記載の画像処理装置。
【請求項９】
撮像光学系を介して形成された光学像を光電変換して画像データを出力する撮像素子と、
前記画像データに基づいて生成された複数の撮影画像および前記複数の撮影画像のそれぞれの撮影条件を取得する取得手段と、
前記複数の撮影画像を撮影条件ごとのグループに分類する分類手段と、
同一のグループに分類された複数の画像に関して共通の演算処理を行い、前記撮影条件ごとに光学伝達関数情報または点像分布関数情報を生成する演算処理手段と、
前記光学伝達関数情報または前記点像分布関数情報に基づいて、前記複数の画像に対する回復処理を行う画像回復手段と、を有することを特徴とする撮像装置。
【請求項１０】
複数の撮影画像および前記複数の撮影画像のそれぞれの撮影条件を取得する取得するステップと、
前記複数の撮影画像を撮影条件ごとのグループに分類するステップと、
同一のグループに分類された複数の画像に関して共通の演算処理を行い、前記撮影条件ごとに光学伝達関数情報または点像分布関数情報を生成するステップと、
前記光学伝達関数情報または前記点像分布関数情報に基づいて、前記複数の画像に対する回復処理を行うステップと、を有することを特徴とする画像処理方法。
【請求項１１】
複数の撮影画像および前記複数の撮影画像のそれぞれの撮影条件を取得する取得するステップと、
前記複数の撮影画像を撮影条件ごとのグループに分類するステップと、
同一のグループに分類された複数の画像に関して共通の演算処理を行い、前記撮影条件ごとに光学伝達関数情報または点像分布関数情報を生成するステップと、
前記光学伝達関数情報または前記点像分布関数情報に基づいて、前記複数の画像に対する回復処理を行うステップと、をコンピュータに実行させることを特徴とする画像処理プログラム。
【請求項１２】
請求項１１に記載の画像処理プログラムを記憶していることを特徴とする記憶媒体。
【手続補正２】
【補正対象書類名】明細書
【補正対象項目名】０００８
【補正方法】変更
【補正の内容】
【０００８】
本発明の一側面としての画像処理装置は、複数の撮影画像および前記複数の撮影画像のそれぞれの撮影条件を取得する取得手段と、前記複数の撮影画像を撮影条件ごとのグループに分類する分類手段と、同一のグループに分類された複数の画像に関して共通の演算処理を行い、前記撮影条件ごとに光学伝達関数情報または点像分布関数情報を生成する演算処理手段と、前記光学伝達関数情報または前記点像分布関数情報に基づいて、前記複数の画像に対する回復処理を行う画像回復手段とを有する。
【手続補正３】
【補正対象書類名】明細書
【補正対象項目名】０００９
【補正方法】変更
【補正の内容】
【０００９】
本発明の他の側面としての撮像装置は、撮像光学系を介して形成された光学像を光電変換して画像データを出力する撮像素子と、前記画像データに基づいて生成された複数の撮影画像および前記複数の撮影画像のそれぞれの撮影条件を取得する取得手段と、前記複数の撮影画像を撮影条件ごとのグループに分類する分類手段と、同一のグループに分類された複数の画像に関して共通の演算処理を行い、前記撮影条件ごとに光学伝達関数情報または点像分布関数情報を生成する演算処理手段と、前記光学伝達関数情報または前記点像分布関数情報に基づいて、前記複数の画像に対する回復処理を行う画像回復手段とを有する。
【手続補正４】
【補正対象書類名】明細書
【補正対象項目名】００１０
【補正方法】変更
【補正の内容】
【００１０】
本発明の他の側面としての画像処理方法は、複数の撮影画像および前記複数の撮影画像のそれぞれの撮影条件を取得する取得するステップと、前記複数の撮影画像を撮影条件ごとのグループに分類するステップと、同一のグループに分類された複数の画像に関して共通の演算処理を行い、前記撮影条件ごとに光学伝達関数情報または点像分布関数情報を生成するステップと、前記光学伝達関数情報または前記点像分布関数情報に基づいて、前記複数の画像に対する回復処理を行うステップとを有する。
【手続補正５】
【補正対象書類名】明細書
【補正対象項目名】００１１
【補正方法】変更
【補正の内容】
【００１１】
本発明の他の側面としての画像処理プログラムは、複数の撮影画像および前記複数の撮影画像のそれぞれの撮影条件を取得する取得するステップと、前記複数の撮影画像を撮影条件ごとのグループに分類するステップと、同一のグループに分類された複数の画像に関して共通の演算処理を行い、前記撮影条件ごとに光学伝達関数情報または点像分布関数情報を生成するステップと、前記光学伝達関数情報または前記点像分布関数情報に基づいて、前記複数の画像に対する回復処理を行うステップと、をコンピュータに実行させる。